(57)【特許請求の範囲】
【請求項１】
壁面に対し板状の建材を取り付けるための取付金具であって、
壁面に取り付けられるベース部、下段側の建材の上辺を係止する第１係止部及び上段側の建材の下辺を係止する第２係止部を有する取付金具本体と、
該取付金具本体とは別体であり、該建材の側面に当接するストッパ片を有した建材の横移動防止用の当て金具と、
を備えてなる建材の取付金具において、
該当て金具は、弾性変形可能部を有しており、該弾性変形可能部が該取付金具本体に係合することにより該当て金具が該取付金具本体に装着される建材の取付金具であって、
前記当て金具は、上下反転させても前記取付金具本体に装着可能であることを特徴とする建材の取付金具。
【請求項２】
請求項１において、前記当て金具を装着させるための開口が前記取付金具本体に設けられていることを特徴とする建材の取付金具。
【請求項３】
請求項２において、該開口は該取付金具本体に左右に位置を異ならせて複数個設けられていることを特徴とする建材の取付金具。
【請求項４】
請求項２又は３において、前記当て金具は該開口に入り込む係入部分を有しており、
該係入部分の左端から右端までの距離は該開口の左右幅とほぼ等しいことを特徴とする建材の取付金具。
【請求項５】
請求項１ないし４のいずれか１項において、
前記当て金具は、該開口に入り込む前記係入部分としての基板部と、該基板部の両側縁から立設されており、該開口の側縁部にそれぞれ係合する弾性爪部とを備えてなり、
前記ストッパ片は一方の該弾性爪部から突設されていることを特徴とする建材の取付金具。
【請求項６】
請求項５において、前記開口は前記ベース部の下縁部に沿って設けられており、
当て金具の前記基板部は、該開口に沿う該ベース部の下縁部を受け入れるスリットを備えており、該スリットよりも上側の該基板部が該開口に入り込み、当て金具のうち該スリットよりも下側は前記ベース部の下縁部よりも下方にはみ出すように該当て金具がベース部に装着されることを特徴とする建材の取付金具。
【請求項７】
請求項１ないし４のいずれか１項において、前記当て金具の弾性変形可能部は前記取付金具本体の一部を弾性的に挟持するものであることを特徴とする建材の取付金具。
【請求項８】
請求項７において、
前記ベース部は、その下縁部に沿って前記開口が設けられており、
当て金具の前記弾性変形可能部は、該開口に沿うベース部の下縁部を弾性的に挟持するものであり、
当て金具は、該弾性変形可能部から下方に垂下する垂下片を備えており、前記ストッパ片は該垂下片から立設されていることを特徴とする建材の取付金具。
【請求項９】
請求項８において、前記垂下片は後方に突出する後方脚片を備えており、該後方脚片の突出方向先端が壁面に当接されることを特徴とする建材の取付金具。
【請求項１０】
請求項８又は９において、前記当て金具の下縁部にも前記弾性変形可能部が設けられていることを特徴とする建材の取付金具。
【請求項１１】
請求項８ないし１０のいずれか１項において、前記垂下片と前記ストッパ片との交叉隅部に補強用のリブが設けられていることを特徴とする建材の取付金具。
【請求項１２】
壁面に複数枚の板状の建材を取付金具によって取り付けた建材の取付構造において、該取付金具が請求項１ないし１１のいずれか１項に記載のものであり、前記ストッパ片が建材の側面に当接していることを特徴とする建材の取付構造。
【発明の詳細な説明】
【０００１】
【発明の属する技術分野】
本発明は建材の取付金具及びそれを用いて建材を壁面に取り付けた構造に関するものである。詳しくは、壁面に対し複数の板状建材を上下に多段に取り付ける場合に採用される取付金具と、この取付金具を用いた建材の取付構造とに関するものである。さらに詳しくは、この取付金具が建材の横ずれ防止機構を備えたものに関する。
【０００２】
【従来の技術】
板状の建材を建築物の外壁等の壁面に対し、上下に多段に且つ水平左右方向に並列させて取付施工する場合、建材の上辺及び下辺を金具で支承することが多い。この金具として、下段側の建材の上辺と上段側の建材の下辺とをそれぞれ係止する第１係止部及び第２係止部を有し、釘又はビスによって壁面に固定されるものが用いられている。
【０００３】
図１３はかかる取付金具の従来の一例（特開平９−２０３１８４号）を示す斜視図である。この取付金具（同号公報では接合金具と指称している）は、基台１１２と、該基台１１２上に立設される幹板部１１４と、該幹板部１１４の上縁から両側に延設される枝板部１１５Ａ，１１５Ｂとからなり、該幹板部１１４の両側には該枝板部１１５Ａ，１１５Ｂによって建築板嵌合部１１６Ａ，１１６Ｂが形成されている。１１８Ａはビス穴、１１８Ｂは釘穴である。この嵌合部１１６Ａによって下段側の建築板の上辺を支承し、嵌合部１１６Ｂによって上段側の建築板の下辺を支承する。
【０００４】
ところで、このように板状建材（建築板）の上辺と下辺とを支承した場合、強風、地震、振動その他の外力が加えられたときに、建材が横ずれするおそれがある。この横ずれを防止するために、上記の特開平９−２０３１８４号においては、図１３の通り、枝板部１１５Ａの両端に、該接合金具１１０によって接合される建築板に食い込む爪状の折曲げ部１１７を形成している。
【０００５】
上記の特開平９−２０３１８４号の折曲げ部１１７は、建材に食い込むことにより建材の横ずれを防止する機能を発揮するが、この折曲げ部１１７が食い込んだ部分が経時的に摩耗することにより、建材が次第に横ずれし易くなってくる。
【０００６】
本出願人は、このような建材の横ずれを長期にわたって確実に防止することができる建材の取付金具と、それを用いた取付構造を特開２０００−３２０１０４号にて提案している。
【０００７】
以下、図８〜１０を参照して同号の取付金具について説明する。
【０００８】
この取付金具は、それぞれ別体の当て金具１０と取付金具本体２０とからなる。当て金具１０は、上側の第１横片部１１と、下側の第２横片部１２、及びこれらの横片部１１，１２同士をつなぐ縦片部１３とからなるコ字形状の主片部１４と、この縦片部１３の側辺縁の上下方向の中間部から起立した起立片部１５を備えてなる。横片部１１，１２にはそれぞれビスを通すための孔１６が設けられている。
【０００９】
取付金具本体２０は、壁面に重なる盤体部（ベース部）２１と、該盤体部２１の前面から前方へ突設された略Ｙ字形の断面形状の支承部２２とを有している。盤体部２１には釘孔２３とビス孔２４とが設けられている。なお、この盤体部２１には左右方向に延在する浅い凹条部２５が設けられ、この凹条部２５内に該ビス孔２４が配置されている。この凹条部２５は当て金具１０の横片部１１又は１２が嵌まる幅員を有している。
【００１０】
支承部２２は、前方延出部２２ａと、それぞれ該前方延出部２２ａの前端側から上下方向に延出した上方延出部２２ｂ及び下方延出部２２ｃとからなる。この上方延出部２２ｂが後述の上段側の建材３０の下辺を係止する第１係止部を構成し、下方延出部２２ｃが下段側の建材３０の上辺を係止する第２係止部を構成する。
【００１１】
図１１，１２はこの取付金具を用いた建材３０の取付状態を示す要部正面図と断面図である。
【００１２】
下段側の建材３０の上縁に取付金具本体２０を係合させた後、当て金具１０の第１横片部１１を取付金具本体２０の凹条部２５に重ね合わせ、当て金具１０の孔１６と取付金具本体２０のビス孔２４を通してビス４０を壁面４１にねじ込む。この際、当て金具１０の起立片部１５が前方を向くようにし、且つこの起立片部１５を下段側の建材３０の側面にあてておく。ビス４０をねじ込むことにより、当て金具１０及び取付金具本体２０が壁面４１に固定され、建材３０の上辺側が壁面４１に固定される。起立片部１５が建材３０の左側面に押し付けられ、これにより、建材３０の横ずれが防止される。
【００１３】
図１１及び図１２（ａ）の如く当て金具１０及び取付金具本体２０を壁面４１に固定した後、図１２（ｂ）の通りこの取付金具本体２０の上方側に上段側の建材３０の下端を載せ、次いで該上段側の建材３０の上縁を同様に当て金具１０及び取付金具本体２０によって壁面４１に固定する。この工程を繰り返すことによりすべての建材３０の取付施工が行われる。いずれの建材３０も、側面に密着した当て金具１０の起立片部１５によって横ずれが確実に防止される。
【００１４】
【発明が解決しようとする課題】
上記特開２０００−３２０１０４号の取付金具にあっては、当て金具１０を取付金具本体２０に重ねてビス留めする構成となっているため、ビス留めするまでは当て金具１０を取付金具本体２０と共に指先で保持しておく必要があり、作業性に改良すべき課題があった。
【００１５】
本発明は、建材の取付作業性が格段に改良された建材の取付金具と、この取付金具を用いた建材の取付構造を提供することを目的とする。
【００１６】
【課題を解決するための手段】
本発明の建材の取付金具は、壁面に対し板状の建材を取り付けるための取付金具であって、壁面に取り付けられるベース部、下段側の建材の上辺を係止する第１係止部及び上段側の建材の下辺を係止する第２係止部を有する取付金具本体と、該取付金具本体とは別体であり、該建材の側面に当接するストッパ片を有した建材の横移動防止用の当て金具と、
を備えてなる建材の取付金具において、該当て金具は、弾性変形可能部を有しており、該弾性変形可能部が該取付金具本体に係合することにより該当て金具が該取付金具本体に装着される建材の取付金具であって、前記当て金具は、上下反転させても前記取付金具本体に装着可能であることを特徴とするものである。
【００１７】
本発明の建材の取付構造は、かかる本発明の取付金具を用いて板状の建材を壁面に取り付け、当て金具のストッパ片を建材の側面に当接させたものである。
【００１８】
かかる本発明の建材の取付金具及び取付構造によると、当て金具のストッパ片が建材の側面に当接し、建材の横ずれが長期にわたり確実に防止される。この取付金具にあっては、当て金具を取付金具本体に装着しておくことができるため、留め付け作業時に当て金具と取付金具本体の双方を押えておくことが不要であり、作業効率が極めてよい。また、建材の横ずれ防止を行わない場合には、当て金具を取付金具本体から分離でき、取付金具本体のみを使用できる。
【００１９】
本発明の取付金具においては、当て金具は、上下反転させても前記取付金具本体に装着可能である。このように構成することにより、例えばストッパ片が当て金具の左又は右にずれている非中心配置となっているときには、該当て金具を上下反転させることによってストッパ片の位置を変更できる。
【００２０】
本発明の取付金具においては、当て金具を装着させるための開口が前記取付金具本体に設けられていることが好ましい（請求項２）。取付金具に当て金具を装着させるための開口が設けられていると、当て金具の係合が容易である。なお、この開口は該取付金具本体に左右に位置を異ならせて複数個設けられていてもよい（請求項３）。該開口が取付金具本体に左右に位置を異ならせて複数個設けられていると、当て金具を左右いずれかの開口に装着することによって該取付金具本体に対しストッパ片の位置を調節することができる。
【００２１】
このように取付金具本体に当て金具を装着させるための開口を設けた場合には、当て金具は該開口に入り込む係入部分を有しており、この係入部分は、左端から右端までの距離が該開口の左右幅とほぼ等しいものであることが好ましい（請求項４）。このように構成した場合には、左端から右端までの距離が該開口の左右幅とほぼ等しい係入部分が該開口に係合することにより、当て金具の左右へのずれが防止され、ストッパ片がしっかりと建材の側面を押えることができる。
【００２２】
本発明の取付金具の一態様（請求項５）にあっては、当て金具は、該開口に入り込む前記係入部分としての基板部と、該基板部の両側縁から立設されており、該開口の側縁部にそれぞれ係合する弾性爪部とを備えてなり、前記ストッパ片は一方の該弾性爪部から突設されている。この取付金具にあっては、当て金具の基板部を取付金具本体のベース部の開口に押し込むだけでよい。これにより、弾性爪部が開口の左右の縁部に係合し、当て金具が取付金具本体に装着される。なお、当て金具の弾性爪部同士を接近方向に弾性変形させるように摘むことにより、当て金具を取付金具本体から取り外すことができる。
【００２３】
この取付金具にあっては、開口は前記ベース部の下縁部に沿って設けられており、当て金具の前記基板部は、該開口に沿う該ベース部の下縁部を受け入れるスリットを備えており、該スリットよりも上側の該基板部が該開口に入り込み、当て金具のうち該スリットよりも下側は前記ベース部の下縁部よりも下方にはみ出すように該当て金具がベース部に装着される構成（請求項６）とされることが好ましい。この構成によれば、当て金具の下半側がベース部よりも下方にはみ出しているため、当て金具の該下半側を摘んで当て金具をベース部に装着できる。そのため、不慣れな作業員であっても当て金具をベース部に極めて簡単に装着することができる。
【００２４】
本発明の別態様（請求項７）に係る取付金具にあっては、当て金具の弾性変形可能部は前記取付金具本体の一部を弾性的に挟持するものである。かかる取付金具にあっては、該弾性変形可能部に取付金具本体の一部を弾性的に挟持させるだけで当て金具を該取付金具本体に装着することができ、当て金具の装着作業が容易である。
【００２５】
この請求項７の取付金具においては、ベース部は、その下縁部に沿って前記開口が設けられており、当て金具の前記弾性変形可能部は、該開口に沿うベース部の下縁部を弾性的に挟持するものであり、当て金具は、該弾性変形可能部から下方に垂下する垂下片を備えており、前記ストッパ片は該垂下片から立設されている構成とされることが好ましい（請求項８）。かかる取付金具にあっては、垂下片を摘んで弾性変形可能部をベース部の下縁部に係合させることができ、当て金具のベース部への装着が極めて簡単である。
【００２６】
かかる請求項８の構成の取付金具においては、垂下片は後方に突出する後方脚片を備えており、該後方脚片の突出方向先端が壁面に当接されることが好ましい（請求項９）。このように構成することにより、垂下片が該後方脚片によって壁面に支えられ、当て金具の姿勢が安定する。
【００２７】
また、この取付金具にあっては、当て金具の下縁部にも前記弾性変形可能部が設けられていてもよい（請求項１０）。このように構成した場合には、該当て金具を上下反転させて取付金具本体に装着することができる。これにより、例えばストッパ片が当て金具の左又は右にずれている非中心配置となっているときには、該当て金具を上下反転させることによってストッパ片の位置を変更できる。
【００２８】
なお、この第２態様の取付金具においては、垂下片とストッパ片との交叉隅部に補強用のリブが設けられていることが好ましい（請求項１１）。このように構成することにより、ストッパ片の強度が高められ、より確実に建材の横ずれを防止することができるようになる。
【００２９】
【発明の実施の形態】
以下に、図面を参照して本発明の実施の形態について説明する。
【００３０】
図１は本発明の実施の形態に係る建材の取付金具の斜視図、図２はこの取付金具の分解斜視図、図３は図１のIII−III線に沿う断面図、図４は図３のIV−IV線に沿う断面図である。図５はこの取付金具を用いた建材の取付構造の断面図であり、図１のＶ−Ｖ線に沿う断面にて示している。また、図６はこの取付金具１の別の当て金具装着態様を示す斜視図であり、図７はこの取付金具１のさらに別の当て金具装着態様を示す斜視図である。なお、以下の説明において、前後方向とは壁面の出入り方向をいう。
【００３１】
この建材の取付金具１は、図２に示すように、それぞれ別体に設けられた、取付金具本体２と、建材の側面に当接するストッパ片６を有した当て金具４とからなる。
【００３２】
該取付金具本体２は、建築物の外壁等の壁面６０（図５）に固定されるベース部６２と、該ベース部６２の前面から前方に立設された建材支承部６４を有している。該ベース部６２は当て金具４が差し込まれる開口６６を有している。
【００３３】
この実施の形態では、該ベース部６２は、壁面６０に重ね合わされる基片部６８と、該基片部６８の下縁部及び左右の側縁部から該基片部６８の三方を囲むように台地状に前方に張り出した張出部７０と、該張出部７０を壁面６０に沿って支えるようにそれぞれ該張出部７０の下縁部及び左右の側縁部から後方に延出した脚片部７２，７４，７６とから主として構成されている。該基片部６８にはこのベース部６２を壁面６０に固定するためのビス７８（図５）が挿通されるビス孔８０が設けられている。
【００３４】
開口６６は、該張出部７０の左半側及び右半側（張出部７０の左右幅方向の中央部から左側及び右側の各領域）に１個ずつ設けられており、各々該張出部７０の下縁部に沿って該張出部７０の前面から脚片部７２の前縁部を切り欠くように設けられている。
【００３５】
支承部６４は、左右の各開口６６の上縁部からそれぞれ切り起こしによって形成されている。各支承部６４は、該張出部７０の前面から前方に延出した前方延出部６４ａと、それぞれ該前方延出部６４ａの前端側から上下方向に延出した上方延出部６４ｂ及び下方延出部６４ｃとからなる。この上方延出部６４ｂが後述の上段側の建材８０の下辺を係止する第１係止部を構成し、下方延出部６４ｃが下段側の建材８０の上辺を係止する第２係止部を構成する。
【００３６】
なお、この取付金具本体２は、その左右幅方向の中央部を挟んで左右対称の構成となっている。
【００３７】
図３に示すように、前記当て金具４は、該開口６６内に入り込む基板部８２と、該基板部８２の左右両側縁から前方に延出しており、該基板部８２が開口６６に入り込んだ状態において該開口６６の左右の側縁部とそれぞれ係合する１対の弾性爪片８４，８４を備えている。各弾性爪片８４の先端側には、該弾性爪片８４，８４が該開口６６の左右の側縁部と係合した状態において該開口６６の側縁部の前面（前記張出部７０の前面）に重なる鍔状部８４ａが設けられている。前記ストッパ片６は、一方の該弾性爪片８４の鍔状部８４ａの先端側から前方に立設されている。
【００３８】
該当て金具４の上下方向の中央部において、該基片部８２から左右の弾性爪片８４，８４にかけて該当て金具４を横断するようにスリット８６が延設されている。このスリット８６は、図４に示すように、該基板部８２が開口６６に入り込んだときに該開口６６の下側の縁部を形成する脚片部７２を受け入れるように構成されている。従って、図４，５に示すように、この当て金具４は、該弾性爪片８４，８４が開口６６の左右の側縁部に係合することにより前記取付金具本体２のベース部６２に装着されたときに、該基板部８２のうちスリット８６よりも上側が該開口６６内に入り込み、なおかつ該スリット８６よりも下側が該脚片部７２よりも下方にはみ出し、該脚片部７２が該スリット８６に入り込むことにより上下方向に位置固定されるようになっている。
【００３９】
なお、左右の弾性爪片８４を接近方向に弾性変形させるように摘むことにより、当て金具４を取付金具本体２から取り外すこともできる。
【００４０】
以下に、この取付金具本体１を用いた建材８０の取付構造について説明する。
【００４１】
建材８０は、上下方向に多段に且つ左右方向に並列させて取付施工されるものである。取付金具１は、上下方向に隣接する建材８０，８０の対向する上縁と下縁とに跨ってこれらの左右両端側にそれぞれ配置される。また、左右に隣接する建材８０，８０に対しては、各々の上縁同士及び下縁同士に跨って取付金具１が配置される。
【００４２】
このような建材８０の配列のうち、最も右側の列に配置される建材８０の右方への横ずれを防止しようとする場合には、図１に示すように、ストッパ片６がベース部６２の右辺側に配置されるように当て金具４を予め該ベース部６２の右半側の開口６６に装着しておく。このように当て金具が装着された取付金具１を、まず下段側の建材８０の上縁に係合させる。この際、ストッパ片６を該建材８０の右側面に当接させる。次いで、ビス７８をビス孔８０に差し込み、このビス７８で取付金具本体２を壁面６０に留め付けた後、上段側の建材８０の下縁をこの取付金具１に係合させる。
【００４３】
その後、別の取付金具１をこの上段側の建材８０の上縁に係合させる。この際、先の取付金具１と同様に、ストッパ片６が建材８０の右側面に当接するように配置する。この取付金具１を壁面６０に固定した後、この取付金具１にさらにもう１段上段側の建材８０の下縁を係合させる。この工程を繰り返すことにより、右端列のすべての建材８０の取付施工が行われる。いずれの建材８０も、側面に当接した当て金具４のストッパ片６によって右方への横ずれが長期にわたって確実に防止される。
【００４４】
これとは逆に、最も左側の列に配置される建材８０の左方への横ずれを防止しようとする場合には、図６に示すように、ストッパ片６がベース部６２の左辺側に配置されるように当て金具４を上記図１の姿勢から上下左右に１８０°反転させた姿勢で該ベース部６２の左半側の開口６６に装着する。そして、該ストッパ片６が建材８０の左側面に当接するように取付金具１を配置する。
【００４５】
また、左右に隣り合う建材８０，８０同士の間の横ずれを防止しようとする場合には、図７に示すように、ストッパ片６がベース部６２の左右幅方向の中央に配置されるような姿勢で当て金具４を該ベース部６２の左右いずれかの開口６６に装着する。そして、該ストッパ片６を対向し合う建材８０，８０の左右の側面同士の間に介在させるように取付金具１を配置する。
【００４６】
なお、この取付金具１にあっては、当て金具４の左右の弾性爪片８４，８４がそれぞれ取付金具本体２の開口６６の対向する左右の側縁と係合することにより、該当て金具４は取付金具本体２に対し左右に不動に装着される。これにより、例えば上記図７の当て金具装着態様による建材の取付構造において、ストッパ片６の左右に配置された建材８０がそれぞれ横ずれしようとして該ストッパ片６を押圧しても、該ストッパ片６はこの押圧力によって左右にずれ動くことがなく、左右に隣接した建材８０の双方の横ずれを防止することができる。
【００４７】
この実施の形態では、取付金具１は下部が壁面６０よりも前方に張り出した張出部７０となっており、各建材８０はこの張出部７０の前面に沿って配置される。そのため、図５に示すように、壁面６０と各建材８０との間には空隙８８が形成され、該壁６０と建材８０との間の通気性が確保されるようになっている。
【００４８】
この取付金具１にあっては、基板部８２を開口６６内に押し込んで左右の弾性爪片８４を該開口６６の左右の側縁部に係合させるだけで簡単に当て金具４を取付金具本体２に装着することができる。また、該基板部８２の下半側が取付金具本体２の下方にはみ出すようになっているので、この基板部８２の下半側を押えて該基板部８２の上半側を開口６６に押し込むことにより、不慣れな作業者でも極めて簡単に当て金具４を取付金具本体２に装着することができる。
【００４９】
さらに、取付金具本体２に装着された当て金具４は容易には該取付金具本体２から外れないので、取付金具１に建材８０を係合させる際や、ビス７８で取付金具１を壁面６０に留め付ける際に、当て金具４と取付金具本体２の両方を指などで保持しておくことが不要であり、作業効率が極めて高い。
【００５０】
これにより、この取付金具１を用いた建材８０の取付構造にあっては、建材８０を極めて効率よく取付施工することができる。
【００５１】
なお、この実施の形態では、取付金具本体２が左右対称の構成となっているため、同一機種の取付金具により、建材の左側面及び右側面のいずれにもストッパ片６を当てることができる。また、建材８０の横ずれ防止を行わない場合には、当て金具４を取付金具本体２から分離し、取付金具本体２のみを使用できる。これにより、この取付金具１ですべての建材８０を取付施工することができ、この取付金具１を用いた建材の取付構造は作業性、経済性共に極めて良好である。
【００５２】
図１４は本発明の別の実施の形態に係る建材の取付金具の斜視図であり、図１５はこの取付金具の分解斜視図である。図１６，１７は、この取付金具を用いた建材の取付構造を示す断面図であり、それぞれ図１５のXVI−XVI線及びXVII−XVII線に沿う断面図である。また、図１８，１９は、それぞれこの取付金具の別の当て金具装着態様を示す斜視図である。なお、以下の説明において、前後方向とは壁面の出入り方向をいう。
【００５３】
図示の取付金具１Ｂは、それぞれ別体に設けられた取付金具本体２と当て金具４Ｂとからなる。この実施の形態では、該取付金具本体２は前述の図１〜７に示した取付金具本体と同一のものであり、以下の説明において、この取付金具本体２に関する詳細は前述の図１〜７の説明を参照するものとする。
【００５４】
該当て金具４Ｂは、基板部２００と、該基板部２００の上下の辺縁に沿ってそれぞれ設けられており、該取付金具本体２の当て金具差込用開口６６の下縁を形成する脚片部７２を弾性的に狭持する弾性挟持部２０２と、該基板部２００の左右の側縁のうちの一方の側縁から前方に立設されており、建材の側面に当接して該建材の横ずれを防止するストッパ片６Ｂと、該基板部２００の他方の側縁から前方に立設されており、図１７に示すように、先端が建材の背面に当接する前方脚片２０４と、該基板部２００の中央部から切り起こしにより後方に立設されており、図１６に示すように、先端が壁面に当接する後方脚片２０６を有している。また、該ストッパ片６Ｂの基端部及び該脚片２０４の基端部には、それぞれ補強用のリブ２０８が設けられている。
【００５５】
なお、この当て金具４Ｂは、上下方向の中央部を挟んで上下対称の構成となっている。
【００５６】
この当て金具４Ｂは、図１５に示すように、基板部２００が取付金具本体２の当て金具差込用開口６６の下側にはみ出すように配置され、該基板部２００の上辺側の弾性挟持部２０２が該開口６６の下縁を形成する脚片部７２を弾性的に挟持することにより該取付金具本体２に装着される。なお、この取付金具１においては、該当て金具４Ｂが取付金具本体２に装着されると、該脚片部７２を挟持した弾性挟持部２０２の左右両端部がそれぞれ当て金具差込用開口６６の左右の側縁に当接するようになっている。
【００５７】
以下に、この取付金具１Ｂを用いた建材８０の取付構造について説明する。なお、この取付構造において、該建材８０は、前述の図１〜７の取付金具１を用いた取付構造と同様に、上下方向に多段に且つ左右方向に並列させて取付施工されるものであり、取付金具１Ｂは、上下方向に隣接する建材８０，８０の対向する上縁と下縁とに跨ってこれらの左右両端側にそれぞれ配置される。また、左右に隣接する建材８０，８０に対しては、各々の上縁同士及び下縁同士に跨って取付金具１Ｂが配置される。
【００５８】
このような建材８０の配列のうち、最も右側の列に配置される建材８０の右方への横ずれを防止しようとする場合には、図１４に示すように、ストッパ片６Ｂがベース部６２の右辺側に配置されるように当て金具４Ｂを予め該ベース部６２の右半側の開口６６に装着しておく。このように当て金具が装着された取付金具１Ｂを、まず下段側の建材８０の上縁に係合させる。この際、ストッパ片６Ｂを該建材８０の右側面に当接させる。次いで、該取付金具本体２をビス（図示略）等で壁面６０に留め付けた後、上段側の建材８０の下縁をこの取付金具１Ｂに係合させる。
【００５９】
その後、これと同様に当て金具４Ｂを装着した別の取付金具１Ｂをこの上段側の建材８０の上縁に係合させる。この際、先の取付金具１Ｂと同様に、ストッパ片６Ｂが建材８０の右側面に当接するように配置する。この取付金具１Ｂを壁面６０に固定した後、この取付金具１Ｂにさらにもう１段上段側の建材８０の下縁を係合させる。この工程を繰り返すことにより、右端列のすべての建材８０の取付施工が行われる。
【００６０】
なお、このように建材８０が取付施工されると、当て金具４Ｂの前方脚片２０４の先端が該建材８０の背面に当接すると共に、後方脚片２０６の先端が壁面６０に当接し、これによって該当て金具４Ｂがこれら建材８０と壁面６０との間に位置固定されるようになっている。これにより、ストッパ片６Ｂが該建材８０の側面から外れることが防止される。
【００６１】
上記のように取付施工された建材８０は、いずれもその側面に当接した当て金具４Ｂのストッパ片６Ｂによって右方へのずれが確実に防止される。
【００６２】
これとは逆に、最も左側の列に配置される建材８０の左方への横ずれを防止しようとする場合には、図１８に示すように、ストッパ片６Ｂがベース部６２の左辺側に配置されるように当て金具４Ｂを上記図１４の姿勢から上下左右に１８０°反転させた姿勢で該ベース部６２の左半側の開口６６に装着する。そして、該ストッパ片６Ｂが建材８０の左側面に当接するように取付金具１Ｂを配置する。
【００６３】
また、左右に隣り合う建材８０，８０同士の間の横ずれを防止しようとする場合には、図１９に示すように、ストッパ片６Ｂがベース部６２の左右幅方向の中央に配置されるような姿勢で当て金具４Ｂを該ベース部６２の左右いずれかの開口６６に装着する。そして、該ストッパ片６Ｂを対向し合う建材８０，８０の左右の側面同士の間に介在させるように取付金具１Ｂを配置する。
【００６４】
なお、この取付金具１Ｂにおいては、当て金具４Ｂが取付金具本体２に装着されると、脚片部７２を挟持した弾性挟持部２０２の左右両端部がそれぞれ当て金具差込用開口６６の左右の側縁に当接することにより、該当て金具４Ｂが取付金具本体２に対し左右にずれ動くことが防止される。そのため、例えば上記図１９の当て金具取付態様による建材の取付構造において、ストッパ片６Ｂの左右に配置された建材８０がそれぞれ横ずれしようとして該ストッパ片６を押圧しても、該ストッパ片６はこの押圧力によって左右にずれ動くことがない。また、該ストッパ片６Ｂの基端部には補強用のリブ２０８が設けられていることから、この押圧力によって該ストッパ片６Ｂが左右に撓むこともない。これにより、該ストッパ片６Ｂは左右に隣接した建材８０の双方の横ずれを確実に防止することができる。
【００６５】
この取付金具１Ｂにあっては、取付金具本体２の下側にはみ出す基板部２００を摘んで該基板部２００の上辺側の弾性挟持部２０２を脚片部７２に係合させることができるので、当て金具４Ｂの取付金具本体２への装着はきわめて容易である。
【００６６】
また、この当て金具４Ｂは、上下対称の構成となっており、上下左右を１８０°反転させることにより、必要に応じてストッパ片６Ｂを取付金具本体２の左辺側及び右辺側のいずれの側にも配置することができる。これにより、同一機種の取付金具により建材の左側面及び右側面のいずれにも当てることができる。もちろん、建材の横ずれ防止を行わない場合には、当て金具４Ｂを取付金具本体２から分離し、取付金具本体２のみを使用して建材の取付施工を行うことができる。
【００６７】
さらに、この取付金具１Ｂにあっても、前述の取付金具１，１Ｂと同様、取付金具本体２に装着された当て金具４Ｂは容易には該取付金具本体２から外れないので、取付金具１Ｂに建材８０を係合させる際や、取付金具１Ｂを壁面６０に留め付ける際に、当て金具４Ｂと取付金具本体２の両方を指などで保持しておくことが不要であり、建材８０を極めて効率よく取付施工することができる。
【００６８】
【発明の効果】
以上詳述した通り、本発明によると、建材の取付作業性が格段に改良された建材の取付金具が提供される。また本発明によると、この取付金具を用いることにより極めて効率よく施工作業が行える建材の取付構造が提供される。
【図面の簡単な説明】
【図１】  本発明の実施の形態に係る建材の取付金具の斜視図である。
【図２】  図１の取付金具の分解斜視図である。
【図３】  図１のIII−III線に沿う断面図である。
【図４】  図３のIV−IV線に沿う断面図である。
【図５】  図１の取付金具を用いた建材の取付構造の断面図である。
【図６】  図１の取付金具１の別の当て金具装着態様を示す斜視図である。
【図７】  図１の取付金具１のさらに別の当て金具装着態様を示す斜視図である。
【図８】  従来例に係る建材の取付金具の斜視図である。
【図９】  図８の取付金具と当て金具の係合状態図である。
【図１０】  図８の当て金具の正面図である。
【図１１】  図８の取付金具を用いた建材の取付状態を示す要部正面図である。
【図１２】  図１１のXII−XII線に沿う断面図である。
【図１３】  別の従来例に係る建材の取付金具の斜視図である。
【図１４】  本発明の別の実施の形態に係る建材の取付金具の斜視図である。
【図１５】  図１４の取付金具の分解斜視図である。
【図１６】  図１４の取付金具を用いた建材の取付構造の断面図である。
【図１７】  図１４の取付金具を用いた建材の取付構造の断面図である。
【図１８】  図１４の取付金具１Ｂの別の当て金具装着態様を示す斜視図である。
【図１９】  図１４の取付金具１Ｂのさらに別の当て金具装着態様を示す斜視図である。
【符号の説明】
１，１Ｂ  取付金具
２  取付金具本体
４，４Ｂ  当て金具
６，６Ｂ  ストッパ片
６０  壁面
６２  ベース部
６４  支承部
６６  開口
７０  張出部
７２  脚片部
８２，２００  基板部
８４  弾性爪片
８６  スリット
２０２  弾性挟持部
２０４  前方脚片
２０６  後方脚片
２０８  リブ
【図１】
0003858684.tif 000002
【図２】
0003858684.tif 000003
【図３】
0003858684.tif 000004
【図４】
0003858684.tif 000005
【図５】
0003858684.tif 000006
【図６】
0003858684.tif 000007
【図７】
0003858684.tif 000008
【図８】
0003858684.tif 000009
【図９】
0003858684.tif 000010
【図１０】
0003858684.tif 000011
【図１１】
0003858684.tif 000012
【図１２】
0003858684.tif 000013
【図１３】
0003858684.tif 000014
【図１４】
0003858684.tif 000015
【図１５】
0003858684.tif 000016
【図１６】
0003858684.tif 000017
【図１７】
0003858684.tif 000018
【図１８】
0003858684.tif 000019
【図１９】
0003858684.tif 000020